(57)【特許請求の範囲】
【請求項１】
伝送線を介して複数台の伝送端末が接続される伝送システムに用いられ、
通信相手である前記伝送端末間の伝送損失の周波数特性に応じて、前記伝送端末毎に送信信号の周波数特性を補正する補正手段と、
通信相手である前記伝送端末毎に伝送損失の周波数特性を推定する推定手段と、
前記伝送端末毎に前記推定手段によって推定された伝送損失に応じて送信利得を調整する利得調整手段と、
前記伝送線の種類毎に送信利得と周波数特性の補正値とを対応付けた補正テーブルを複数有しユーザの選択操作に応じて複数の前記補正テーブルから使用する前記補正テーブルを選択する選択手段とを備え、
前記補正手段は、通信相手となる前記伝送端末毎に、前記利得調整手段で調整された送信利得をもとに、前記選択手段で選択された前記補正テーブルを参照して、周波数特性の補正値を決定することを特徴とする伝送端末。
【請求項２】
前記推定手段は、通信相手の前記伝送端末に対して、所定レベルの基準信号と、前記基準信号の受信レベルをフィードバック信号として返送させる命令を出力し、通信相手の前記伝送端末から返送されたフィードバック情報に基づいて伝送損失及び伝送損失の周波数特性を推定することを特徴とする請求項１に記載の伝送端末。
【請求項３】
前記推定手段は、通信相手の前記伝送端末に対して、所定レベルの伝送信号を自機宛てに送信させる命令を出力し、前記命令を受けて通信相手の前記伝送端末から送信された伝送信号の受信結果をもとに、伝送損失及び伝送損失の周波数特性を推定することを特徴とする請求項１に記載の伝送端末。
【請求項４】
請求項１乃至３の何れか１項に記載の伝送端末を有することを特徴とする伝送システム。
【発明の詳細な説明】
【技術分野】
【０００１】
本発明は、伝送端末及び伝送システムに関するものである。
【背景技術】
【０００２】
従来、ペア線を介して接続された複数台の受信端末に、高周波アナログ信号を送信する送信装置を備えたアナログ伝送システムがある（例えば特許文献１参照）。
【０００３】
上記のアナログ伝送システムでは、高周波アナログ信号の伝送媒体にペア線を用いているが、ペア線の伝送損失は同軸ケーブルに比べて大きく、その損失は伝送信号の周波数に依存し、低域側に比べて高域側の伝送損失が大きくなっている。そのため、ペア線を介して伝送される信号には、その周波数特性によって、低域側と高域側で受信レベルに偏差が発生するという問題があった。
【０００４】
そこで、上記のアナログ伝送システムでは、ペア線にアナログ信号を出力する装置に、ペア線の周波数特性を補正する等化器が設けられている。この等化器は、出力端子の手前側に設けられ、その周波数特性は、周波数が高くなるにつれて損失が小さくなっている。また、この等化器では、損失の周波数特性を切り替える切替スイッチを備え、ペア線の長さに応じて切替スイッチを切り替えることで、受信器側で受け取る伝送信号に生じる高域側と低域側の受信レベルの偏差を低減している。
【先行技術文献】
【特許文献】
【０００５】
【特許文献１】特開平８−１８４８７号公報
【発明の概要】
【発明が解決しようとする課題】
【０００６】
ところで、上述したアナログ伝送システムとは異なり、複数の伝送端末がマルチドロップ接続あるいはバス型、スター型接続されて、各伝送端末間でＯＦＤＭなどのデジタル搬送波通信方式を用いたパケット伝送を行う有線の伝送システムが従来提供されている。
【０００７】
このような伝送システムにおいても、伝送線が長くなるほど、高域側の損失が低域側に比べて増加する傾向がある。
【０００８】
例えば図７（ａ）は、送信端末２１に伝送線２３を介して複数台の受信端末２２１，２２２，…，２２ｎがバス型接続された伝送システムのシステム図を示している。この伝送システムでは、送信端末２１に近い受信端末２２１は、図７（ｂ）に示すように高域側と低域側で伝送損失の偏差が少ないのに対して、送信端末２１から遠い受信端末２２ｎは、図７（ｃ）に示すように高域側と低域側で伝送損失の偏差が大きくなっている。また図８（ａ）は、送信端末２１に伝送線２３を介して複数台の受信端末２２１，２２２，…，２２ｎがスター型接続された伝送システムのシステム図を示している。この伝送システムでも、送信端末２１に近い受信端末２２１は、図８（ｂ）に示すように高域側と低域側で伝送損失の偏差が少ないのに対して、送信端末２１から遠い受信端末２２ｎは、図８（ｃ）に示すように高域側と低域側で伝送損失の偏差が大きくなっている。このように、伝送信号の受信レベルに帯域内で偏差があると、波形の歪みが発生し、またマルチキャリア方式の場合は、高域側のキャリアに対して量子化誤差の影響が大きくなって、伝送の通信品質が低下するという問題があった。
【０００９】
そこで、上述した特許文献１のアナログ伝送システムのように、伝送線による伝送損失の周波数特性を考慮して、帯域内で受信レベルの偏差が小さくなるように、送信側で周波数特性を補正することが考えられる。しかしながら、各伝送端末間で通信を行うデジタル伝送システムでは、通信相手の伝送端末に応じてケーブル長などの配線条件が異なり、伝送損失の周波数特性が異なっていた。そのため、特許文献１の伝送システムのように、通信相手に関係無く、送信信号の周波数特性に一定の補正値を与えた場合、通信相手によっては帯域内で受信レベルの偏差を低減する効果が不十分であり、通信品質を向上させる効果が不十分であった。
【００１０】
また、送信側の伝送端末から、通信距離が最も長い伝送端末でも受信可能な送信出力で送信させた場合、通信距離の短い伝送端末では、過大な信号レベルの伝送信号が出力されることになり、無駄な消費電力が発生するという問題があった。
【００１１】
本発明は上記課題に鑑みて為されたものであり、その目的とするところは、受信側の伝送端末において帯域内での受信レベルの偏差を低減した伝送端末及び伝送システムを提供することにある。
【課題を解決するための手段】
【００１２】
上記課題を解決するために、本発明の伝送端末は、伝送線を介して複数台の伝送端末が接続される伝送システムに用いられ、通信相手である伝送端末間の伝送損失の周波数特性に応じて、伝送端末毎に送信信号の周波数特性を補正する補正手段と、通信相手である伝送端末毎に伝送損失の周波数特性を推定する推定手段と、伝送端末毎に推定手段によって推定された伝送損失に応じて送信利得を調整する利得調整手段と、伝送線の種類毎に送信利得と周波数特性の補正値とを対応付けた補正テーブルを複数有しユーザの選択操作に応じて複数の補正テーブルから使用する補正テーブルを選択する選択手段とを備え、補正手段は、通信相手となる伝送端末毎に、利得調整手段で調整された送信利得をもとに、選択手段で選択された補正テーブルを参照して、周波数特性の補正値を決定することを特徴とする。
【００１５】
この伝送端末において、推定手段は、通信相手の伝送端末に対して、所定レベルの基準信号と、この基準信号の受信レベルをフィードバック信号として返送させる命令を出力し、通信相手の伝送端末から返送されたフィードバック情報に基づいて伝送損失及び伝送損失の周波数特性を推定する。
【００１６】
この伝送端末において、推定手段は、通信相手の伝送端末に対して、所定レベルの伝送信号を自機宛てに送信させる命令を出力し、この命令を受けて通信相手の伝送端末から送信された伝送信号の受信結果をもとに、伝送損失及び伝送損失の周波数特性を推定する。
【００１７】
本発明の伝送システムは、上記の伝送端末を有することを特徴とする。
【発明の効果】
【００１８】
本発明によれば、送信手段は、通信相手の伝送端末毎に、この伝送端末間での伝送損失の周波数特性に応じて、送信信号の周波数特性を補正する補正値を決定しているので、受信側の伝送端末において帯域内での受信レベルの偏差を低減することができる。また通信相手の伝送端末毎に送信信号の周波数特性を補正しているので、全ての伝送端末で受信可能なように過大な信号レベルの伝送信号を送信する場合に比べて、無駄な電力消費を低減することができる。
【図面の簡単な説明】
【００１９】
【図１】実施形態１の伝送端末のブロック図である。
【図２】（ａ）は伝送損失の周波数特性を示す説明図、（ｂ）は周波数特性の補正値を示す説明図である。
【図３】（ａ）（ｂ）は実施形態２の伝送端末のブロック図である。
【図４】実施形態３の伝送端末のブロック図である。
【図５】同上の伝送端末による伝送損失の推定方法を説明するブロック図である。
【図６】同上の伝送端末による伝送損失の推定方法を説明するブロック図である。
【図７】複数台の伝送端末がバス型接続された従来の伝送システムを示し、（ａ）は概略的なシステム構成図、（ｂ）（ｃ）は伝送損失の周波数特性を示す図である。
【図８】複数台の伝送端末がスター型接続された従来の伝送システムを示し、（ａ）は概略的なシステム構成図、（ｂ）（ｃ）は伝送損失の周波数特性を示す図である。
【発明を実施するための形態】
【００２０】
以下に本発明の実施の形態を図面に基づいて説明する。
【００２１】
（実施形態１）
本発明に係る伝送端末の実施形態１を図１及び図２に基づいて説明する。尚、本実施形態の伝送端末が適用される伝送システムとしては、例えば集合住宅に設置されるインターホンシステムがある。インターホンシステムでは、共用玄関に設置されたロビーインターホンや、各住戸に設置されたインターホン装置を伝送端末として備えている。そして、ロビーインターホンと各住戸のインターホン装置の間、或いは、各住戸のインターホン装置の間では、例えばＯＦＤＭのようなマルチキャリア変調方式のデジタル搬送波通信により信号伝送が行われる。
【００２２】
図１は本実施形態の伝送端末を用いた伝送システムを示し、この伝送システムでは、複数台の伝送端末１Ａ，１Ｂ，１Ｃ，１Ｄ…が伝送線Ｌ１にバス型に接続されている。尚、伝送端末１Ａ，１Ｂ，１Ｃ，１Ｄ…の接続形態はバス型に限定されるものではなく、スター型接続やマルチドロップ接続でもよい。
【００２３】
ここで、伝送端末１Ａが送信側の端末となり、他の伝送端末１Ｂ，１Ｃ，１Ｄ…が受信側の端末となる場合について以下に説明する。尚、伝送端末１Ａと伝送端末１Ｂ，１Ｃ，１Ｄ…の間では双方向の通信を行ってもよく、伝送端末１Ｂ，１Ｃ，１Ｄ…から他の伝送端末へ伝送信号を送信する場合は、伝送端末１Ｂ，１Ｃ，１Ｄ…が送信側、他の伝送端末が受信側の端末となる。
【００２４】
伝送端末１Ａは、図１に示すように、送信回路２と受信回路３と通信回路４とで構成される送受信回路を備えている。尚、他の伝送端末１Ｂ…も伝送端末１Ａと同様の送受信回路を備えており、その説明は省略する。
【００２５】
送信回路２は、出力回路５と補正回路６と補正値調整回路７とで構成されている。
【００２６】
出力回路５は、通信回路４から入力された制御命令などの信号を変調し、通信相手の伝送端末１Ｂ，１Ｃ，１Ｄ…に宛てた伝送信号を生成する。
【００２７】
補正回路６（補正手段）は、例えば周波数特性を調整可能なフィルタ回路（例えばデジタルフィルタからなる）で構成され、出力回路５から出力される伝送信号の周波数特性を補正して、補正後の伝送信号を伝送線Ｌ１に出力する。
【００２８】
補正値調整回路７には、伝送線Ｌ１を介して接続された複数台の伝送端末１Ｂ，１Ｃ，１Ｄ…の各々について、伝送損失の周波数特性が予め設定されている。この補正値調整回路７は、通信相手である伝送端末１Ｂ，１Ｃ，１Ｄ…毎に、予め設定された伝送損失の周波数特性に基づいて、受信側の端末において帯域内での受信レベルの偏差が小さくなるように、補正回路６による周波数特性の補正値を調整する。ここにおいて、伝送信号の周波数特性を補正する補正回路６と、補正回路６による周波数の補正値を調整する補正値調整回路７とで、補正手段が構成される。
【００２９】
ところで、伝送端末間のケーブル長が長くなると、高域側での伝送損失が低域側での伝送損失に比べて大きくなる。また、送信側の伝送端末１Ａと受信側の伝送端末１Ｂ，１Ｃ，１Ｄ…との間の配線条件は、個々の伝送端末１Ｂ，１Ｃ，１Ｄ…によって異なるため、伝送端末間の伝送損失の周波数特性も、個々の伝送端末１Ｂ，１Ｃ，１Ｄ…毎に異なっている。
【００３０】
そこで、本実施形態では、各々の伝送端末１Ｂ，１Ｃ，１Ｄ…毎に伝送損失の周波数特性が補正値調整回路７に設定されており、補正値調整回路７では、通信相手である伝送端末１Ｂ，１Ｃ，１Ｄ…に応じて周波数特性の補正値を調整している。
【００３１】
これにより、個々の伝送端末１Ｂ，１Ｃ，１Ｄ…毎に伝送損失の周波数特性が異なる場合でも、個々の伝送端末１Ｂ，１Ｃ，１Ｄ…に合わせて周波数特性を補正することによって、各々の伝送端末１Ｂ，１Ｃ，１Ｄ…において帯域内での受信レベルの偏差を低減することができ、通信品質を向上させることができる。
【００３２】
ここで、図２（ａ）は送信側の伝送端末１Ａと受信側の伝送端末（例えば伝送端末１Ｂ）の間の伝送損失の周波数特性を示し、周波数が高いほど伝送損失が大きくなる。一方、図２（ｂ）は補正回路６が伝送信号に与える補正値を示し、周波数が高いほど利得が大きくなるように、伝送信号の周波数特性を補正している。而して、受信側の伝送端末１Ｂ，１Ｃ，１Ｄ…では、帯域内での受信レベルの偏差が小さくなり、波形の歪みを抑制できるので、伝送の通信品質を向上させることができる。また、マルチキャリア方式の場合は、高域側のキャリアに対して量子化誤差の影響が小さくなり、伝送の通信品質を向上させることができる。
【００３３】
（実施形態２）
本発明の実施形態２を図３（ａ）（ｂ）に基づいて説明する。尚、実施形態１と共通する構成要素には同一の符号を付して、その説明は省略する。
【００３４】
本実施形態では、図３（ａ）に示すように、実施形態１で説明した送信回路２に利得調整回路８（利得調整手段）を付加してある。
【００３５】
伝送端末間のケーブル長（通信距離）が長くなると、高域側での伝送損失が低域側での伝送損失に比べて大きくなるのであるが、帯域内でのレベル差だけではなく、受信信号の電力も通信距離に応じて低下する。そこで、各伝送端末１Ａ…には、実施形態１で説明した補正回路６に加えて、利得調整回路８が設けられており、伝送損失による受信信号電力の低下を抑制するために、伝送信号の送信利得を調整している。
【００３６】
利得調整回路８には、伝送線Ｌ１を介して接続された複数台の伝送端末１Ｂ，１Ｃ，１Ｄ…の各々について、自機との間の伝送損失が予め設定されている。そして、利得調整回路８では、通信相手である伝送端末１Ｂ，１Ｃ，１Ｄ…毎に、予め設定された伝送損失に基づいて、伝送損失による受信レベルの低下分が小さくなるように、伝送信号の送信利得を調整する。すなわち、利得調整回路８では、通信相手の伝送端末１Ｂ，１Ｃ，１Ｄ…に応じて、伝送損失が大きいほど送信利得が大きくなるように、送信利得を調整する。
【００３７】
また補正値調整回路７は、通信相手の伝送端末１Ｂ，１Ｃ，１Ｄ…毎に、利得調整回路８で調整された送信利得に応じて、周波数特性の補正値を決定している。すなわち、補正値調整回路７は、利得調整回路８によって調整される送信利得が大きいほど、周波数特性の補正値が高域側で大きくなるように、補正回路６による周波数特性の補正値を調整する。
【００３８】
上述のように、送信側の伝送端末１Ａと受信側の伝送端末１Ｂ，１Ｃ，１Ｄ…との間のケーブル長が長くなると、伝送信号の高域側では低域側に比べて伝送損失が大きくなり、また受信信号の電力も低下する傾向がある。本実施形態では、通信相手となる伝送端末１Ｂ，１Ｃ，１Ｄ…と自機との間の伝送損失が利得調整回路８に設定されており、利得調整回路８では、通信相手の伝送端末１Ｂ，１Ｃ，１Ｄ…に応じて、伝送損失が大きいほど送信利得が大きくなるように、出力信号の送信利得を調整している。また補正値調整回路７では、利得調整回路８で調整された送信利得に応じて、補正回路６が伝送信号に付与する周波数特性の補正値を調整しており、送信利得が大きいほど、高域側での利得が大きくなるように、周波数特性の補正値を調整する。
【００３９】
これにより、送信側となる伝送端末１Ａの利得調整回路８が、受信側の伝送端末１Ｂ…毎に、伝送損失に応じて送信利得を調整しているので、受信側の伝送端末１Ｂ…において、ケーブル長が長くなることによって生じる受信信号電力の低下を抑制できる。また、補正値調整回路７は、利得調整回路８で調整された送信利得に基づいて周波数特性の補正値を設定しているので、送信利得と周波数特性の補正値を１対１で対応させることができ、周波数特性の補正値を簡便な方法で決定することができる。さらに、補正値調整回路７では、通信相手となる伝送端末１Ｂ，１Ｃ，１Ｄ…毎に周波数特性を補正しているので、受信側の伝送端末１Ｂ，１Ｃ，１Ｄ…において、帯域内での受信レベルの偏差を低減することができる。よって、量子化誤差に対するＳ／Ｎ比が最適化され、通信品質を向上させることができる。
【００４０】
ところで、補正値調整回路７は、利得調整回路８で調整された送信利得に基づいて周波数特性の補正値を決定しており、伝送線Ｌ１の線種に関係無く、送信利得に応じて周波数特性の補正値が決定されている。しかしながら、伝送線Ｌ１の線種によって伝送損失の周波数特性が異なるため、線種に応じて周波数特性の補正値を異ならせることも好ましい。
【００４１】
図３（ｂ）の回路では、上述した図３（ａ）の回路にテーブル記憶部ＴＢと選択スイッチ１２（選択手段）が追加されており、その他の構成は図３（ａ）の回路と同様であるので、共通の構成要素には同一の符号を付して、その説明は省略する。
【００４２】
テーブル記憶部ＴＢは、伝送線Ｌ１の種類毎に、送信利得と周波数特性の補正値とを対応付けた補正テーブルを複数記憶する。
【００４３】
選択スイッチ１２は、テーブル記憶部ＴＢに記憶された複数の補正テーブルから、自機に接続されている伝送線Ｌ１の線種に応じた補正テーブルを、ユーザが選択するために用いられる。
【００４４】
而して、ユーザが選択スイッチ１２を用いて伝送線Ｌ１の線種に対応した補正テーブルを選択すると、補正値調整回路７は、利得調整回路８で調整された送信利得をもとに、選択スイッチ１２で選択された補正テーブルを参照して周波数特性の補正値を決定する。
【００４５】
これにより、伝送線の線種に応じた周波数特性にしたがって、利得調整回路８で調整された送信利得に応じて、周波数特性の補正値を決定できるから、線種に応じた補正値を簡便な方法で決定することができる。また、伝送線Ｌ１の線種に応じて、周波数特性の補正値が変更されるので、伝送線Ｌ１の伝送損失に合わせて、周波数特性の補正値を最適な値に設定でき、通信品質をさらに向上させることができる。
【００４６】
（実施形態３）
本発明の実施形態３を図４〜図６に基づいて説明する。尚、実施形態２と共通する構成要素には同一の符号を付して、その説明は省略する。
【００４７】
本実施形態では、実施形態２で説明した伝送端末１Ａの送信回路２に、通信相手である伝送端末１Ｂ，１Ｃ，１Ｄ…との間の伝送損失及び伝送損失の周波数特性を推定する推定回路９が付加されている。
【００４８】
推定回路９は、通信相手となる伝送端末１Ｂ，１Ｃ，１Ｄ…の各々について伝送損失及び伝送損失の周波数特性を推定し、推定結果を補正値調整回路７に出力する。
【００４９】
補正値調整回路７では、各々の伝送端末１Ｂ，１Ｃ，１Ｄ…毎に、推定回路９で推定された伝送損失の周波数特性に基づいて、補正回路６による周波数特性の補正値を決定する。
【００５０】
このように、本実施形態では伝送端末１Ａが、通信相手となる伝送端末１Ｂ，１Ｃ，１Ｄ…毎に伝送損失の周波数特性を推定する推定回路９を備えている。補正値調整回路７は、通信相手である伝送端末１Ｂ，１Ｃ，１Ｄ…毎に、推定回路９で推定された伝送損失の周波数特性に応じて、周波数特性の補正値を決定している。
【００５１】
これにより、送信側の伝送端末１Ａでは、通信相手である伝送端末１Ｂ，１Ｃ，１Ｄ…毎に伝送損失の周波数特性を推定することで、通信相手の伝送端末１Ｂ，１Ｃ，１Ｄ…に応じて、周波数特性の補正値を決定できる。したがって、伝送端末１Ｂ，１Ｃ，１Ｄ…毎に周波数特性を精度良く補正でき、帯域内での受信レベルの偏差をさらに低減することができる。また、伝送端末１Ａに、各伝送端末１Ｂ…間の伝送損失を予め設定しておく必要がなく、作業を簡略化できる。
【００５２】
ここで、推定回路９が伝送損失及び伝送損失の周波数特性を推定する方法の具体例について図５を参照して説明する。
【００５３】
図５の回路では、上述の推定回路９としてフィードバック情報取得回路９ａが送信回路２に設けられている。フィードバック情報取得回路９ａは、通信相手となる伝送端末１Ｂに伝送信号を送信する前に、この伝送端末１Ｂ間の伝送損失及び伝送損失の周波数特性を推定するために、出力回路５から伝送端末１Ｂへ所定の信号レベルの基準信号を送信させる。またフィードバック情報取得回路９ａは、通信相手の伝送端末１Ｂに上記の基準信号を送信させるとともに、出力回路５から伝送端末１Ｂへ上記基準信号の受信レベルに関する情報をフィードバック情報として返送させる命令を出力させる。ここにおいて、伝送端末間で伝送損失を推定するために、送信側の伝送端末１Ａから受信側の伝送端末１Ｂへ送信される基準信号には、伝送速度を低くした、信頼性の高い信号が用いられるから、伝送損失の大きい伝送端末１Ｂ…でも確実に受信できる。
【００５４】
上述のように送信側の伝送端末１Ａから基準信号が送信されると、受信側の伝送端末１Ｂでは、伝送損失推定回路１０が、基準信号の受信レベルをもとに、両端末間の伝送損失の周波数特性を推定する。また、伝送損失推定回路１０では、伝送損失の周波数特性を推定すると、伝送損失の周波数特性を推定した結果を示すフィードバック情報を、基準信号の送信元である伝送端末１Ａに宛てて返送する。
【００５５】
そして、伝送端末１Ａでは、フィードバック情報取得回路９ａが、伝送端末１Ｂから自機宛てに返送されたフィードバック情報を受信し、このフィードバック情報に基づいて、伝送端末１Ｂとの間の伝送損失及び伝送損失の周波数特性を求める。フィードバック情報取得回路９ａは、伝送端末１Ｂ間での伝送損失の周波数特性を取得すると、補正値調整回路７に伝送損失の周波数特性を出力する。補正値調整回路７では、フィードバック情報取得回路９ａから伝送損失の周波数特性が入力されると、通信相手の伝送端末毎に伝送損失の周波数特性に基づいて、受信側において帯域内での受信レベルの差が小さくなるように、周波数特性の補正値を調整する。
【００５６】
また、フィードバック情報取得回路９ａでは、伝送端末１Ｂとの間の伝送損失を利得調整回路８に出力してもよい。この場合、利得調整回路８が、フィードバック情報取得回路９ａから入力された伝送損失に基づいて、通信相手の伝送端末毎に送信利得を調整するので、伝送損失による受信信号電力の低下を抑制することができる。
【００５７】
上述のようにフィードバック情報取得回路９ａは、通信相手の伝送端末に対して、所定レベルの基準信号と、この基準信号の受信レベルをフィードバック信号として返送させる命令を出力する。そして、フィードバック情報取得回路９ａは、通信相手の伝送端末から返送されたフィードバック情報に基づいて伝送損失及び伝送損失の周波数特性を推定する。フィードバック情報取得回路９ａが取得した伝送損失の周波数特性の情報は補正値調整回路７に出力され、補正値調整回路７では、伝送損失の周波数特性に応じて、伝送端末１Ｂ…毎に周波数特性の補正値を調整している。またフィードバック情報取得回路９ａが取得した伝送損失の情報が利得調整回路８に出力されれば、利得調整回路８では、伝送損失に応じて、伝送端末１Ｂ…毎に送信利得を調整することができる。
【００５８】
これにより、送信側の伝送端末１Ａでは、フィードバック情報取得回路９ａが、通信相手の伝送端末１Ｂ，１Ｃ，１Ｄ…から返送されたフィードバック情報に基づいて、伝送端末１Ｂ，１Ｃ，１Ｄ…毎に伝送損失及び伝送損失の周波数特性を取得することができる。そして、補正値調整回路７では、フィードバック情報取得回路９ａが取得した伝送損失の周波数特性に基づいて、通信相手の伝送端末毎に周波数特性の補正値を決定している。したがって、伝送端末１Ｂ，１Ｃ，１Ｄ…毎に周波数特性を精度良く補正でき、帯域内での受信レベルの偏差をさらに低減することができる。また、送信利得調整回路８が、フィードバック情報取得回路９ａの取得した伝送損失に基づいて、通信相手の伝送端末毎に送信利得を決定することによって、伝送損失による受信信号電力の低下を抑制できる。
【００５９】
また、上記の推定回路９が伝送損失及び伝送損失の周波数特性を推定する別の方法について図６を参照して説明する。
【００６０】
図６の回路では、上述の推定回路９として、通信相手の伝送端末１Ｂ，１Ｃ，１Ｄ…から送信された基準信号をもとに、伝送損失及び伝送損失の周波数特性を推定する伝送損失推定回路９ｂを送信回路２に備えている。
【００６１】
伝送損失推定回路９ｂは、通信相手となる伝送端末１Ｂに伝送信号を送信する前に、この伝送端末１Ｂ間の伝送損失及び伝送損失の周波数特性を推定するため、出力回路５から伝送端末１Ｂへ所定レベルの基準信号を送信させる送信命令を出力させる。ここにおいて、伝送端末間での伝送損失を推定するために、送信側の伝送端末１Ａから受信側の伝送端末１Ｂへ送信される送信命令には、伝送速度を低くした、信頼性の高い信号が用いられるから、伝送損失の大きい伝送端末１Ｂ…でも確実に受信できる。
【００６２】
通信相手である伝送端末１Ｂが、伝送端末１Ａから送信された上記の送信命令を受信すると、この送信命令を受けて、通信回路１１から送信元の伝送端末１Ａに宛てて所定の信号レベルの基準信号を出力させる。
【００６３】
送信側の伝送端末１Ａでは、送信命令の送信後に、通信相手である伝送端末１Ｂから基準信号が返送されると、伝送損失推定回路９ｂがこの基準信号の信号レベルをもとに、伝送端末１Ｂの間の伝送損失及び伝送損失の周波数特性を推定する。
【００６４】
伝送損失推定回路９ｂは、伝送端末１Ｂ間の伝送損失の周波数特性を求めると、補正値調整回路７に伝送損失の周波数特性を出力する。補正値調整回路７では、伝送損失推定回路９ｂから伝送損失の周波数特性が入力されると、通信相手の伝送端末毎に、伝送損失の周波数特性を推定した結果に基づいて、受信側において帯域内での受信レベルの偏差が小さくなるよう周波数特性の補正値を調整する。
【００６５】
また伝送損失推定回路９ｂでは、伝送端末１Ｂとの間の伝送損失を利得調整回路８に出力してもよい。この場合、利得調整回路８が、伝送損失推定回路９ｂから入力された伝送損失の推定結果に基づいて、通信相手の伝送端末１Ｂ毎に送信利得を調整する。
【００６６】
上述のように伝送損失推定回路９ｂは、通信相手の伝送端末に対して、所定レベルの基準信号を送信させる命令を出力する。そして、伝送損失推定回路９ｂは、通信相手の伝送端末から返送された基準信号に基づいて、基準信号を返送してきた伝送端末１Ｂの間の伝送損失及び伝送損失の周波数特性を推定する。そして、伝送損失推定回路９ｂが推定した周波数特性の情報は補正値調整回路７に出力され、補正値調整回路７では、伝送損失の周波数特性に応じて、伝送端末１Ｂ…毎に周波数特性の補正値を調整する。また、伝送損失推定回路９ｂが推定した伝送損失の情報が利得調整回路８に出力されれば、利得調整回路８では、伝送損失に応じて、伝送端末１Ｂ…毎に送信利得を調整することができる。
【００６７】
これにより、送信側の伝送端末１Ａでは、伝送損失推定回路９ｂが、通信相手の伝送端末１Ｂ，１Ｃ，１Ｄ…から返送された基準信号に基づいて、伝送端末１Ｂ，１Ｃ，１Ｄ…毎に伝送損失及び伝送損失の周波数特性を推定することができる。そして、補正値調整回路７では、伝送損失推定回路９ｂが推定した伝送損失の周波数特性に基づいて、通信相手の伝送端末毎に周波数特性の補正値を決定している。したがって、伝送端末１Ｂ，１Ｃ，１Ｄ…毎に周波数特性を精度良く補正でき、帯域内での受信レベルの偏差をさらに低減することができる。また、送信利得調整回路８が、伝送損失推定回路９ｂの推定した伝送損失に基づいて、通信相手の伝送端末毎に送信利得を決定することによって、伝送損失による受信信号電力の低下を抑制できる。また、図５で説明した回路のように、受信側の伝送端末で伝送損失を推定する処理を行っていないので、送信側の伝送端末のみで、通信相手の伝送端末間の伝送損失や伝送損失の周波数特性を求めることができる。
【符号の説明】
【００６８】
１Ａ，１Ｂ，１Ｃ，１Ｄ  伝送端末
２  送信回路
５  出力回路
６  補正回路（補正手段）
７  補正値調整回路（補正手段）
８  利得調整回路（利得調整手段）
９  推定回路（推定手段）
９ａ  フィードバック情報取得回路
９ｂ  伝送損失推定回路
１０  伝送損失推定回路
１２  選択スイッチ（選択手段）
Ｌ１  伝送線
ＴＢ  テーブル記憶部
【図１】
0005672597.tif 000002
【図２】
0005672597.tif 000003
【図３】
0005672597.tif 000004
【図４】
0005672597.tif 000005
【図５】
0005672597.tif 000006
【図６】
0005672597.tif 000007
【図７】
0005672597.tif 000008
【図８】
0005672597.tif 000009